(57)【要約】【課題】ユーザが筐体を開いて行っていた操作を、筐体を閉じた場合でも継続して操作することができる携帯型電子機器を提供することにある。【解決手段】アプリケーション起動後、第一の筐体と第二の筐体が開状態においてはメイン表示部にアプリケーションの情報を表示させ、筐体が閉状態になると、メイン表示部に表示されていた前記アプリケーションの情報を一部対応させてサブ表示部に表示させる。これによって、筐体が開状態において行われていたアプリケーションの操作を筐体を閉じても継続して操作をすることが可能となりユーザが筐体を開いて行っていた操作を、筐体を閉じた場合でも継続して操作することができる。【選択図】図６
2011010058.tif 000002
【特許請求の範囲】
【請求項１】
開閉可能な筐体を備える携帯型電子機器であって、
所定の操作により起動されたアプリケーションによって出力された情報が保存されるデータ格納手段と、
前記筐体が折り畳まれた状態にて内側に位置する第一の表示手段と、
前記筐体が折り畳まれた状態にて外側に位置し、前記第一の表示手段に比べて少ない情報量を表示する第二の表示手段と、
折り畳みの開閉を検出する開閉検出手段と、
前記筐体が開かれると前記第一の表示手段に前記データ格納手段から第一の情報を出力表示させ、前記筐体が閉じられると第一の情報に対応した第二の情報を前記第二の表示手段に出力表示させるように制御を行う制御手段とを備える携帯型電子機器。
【請求項２】
前記アプリケーションは、問題モードと解答モードとの表示モードを有するとともに、複数の問題と、当該複数の問題それぞれに対応する複数の解答とを含み、
前記制御部は、
前記問題モードにおいて、前記第一の情報として、前記複数の問題の一つとそれに対応する選択肢を取扱い、前記第二の情報として、前記複数の問題の一つを取り扱い、
前記解答モードにおいては、前記第一の情報として、前記複数の問題の解答と前記選択肢の正誤を取扱い、前記第二の情報として、前記複数の問題の一つの解答を取り扱う
ことを特徴とする請求項１に記載の携帯型電子機器。
【請求項３】
前記筐体が折り畳まれた状態にて内側に位置し、前記第一の表示手段の表示を操作するための第一の操作手段と、
前記筐体が折り畳まれた状態にて外側に位置し、前記第二の表示手段の表示を操作するための第二の操作手段と、を備えることを特徴とする請求項２に記載の携帯型電子機器。
【請求項４】
前記制御手段は、
前記アプリケーション実行中において、
前記筐体が開かれた状態で前記第一の表示手段に前記第一の情報として前記所定の問題とそれに対応する選択肢を表示させ、前記第一の操作手段が操作されて、前記選択肢が選択されると、前記所定の問題の解答と選択された選択肢の正誤の少なくともいずれか一方を前記第一の表示手段に表示させ、
前記筐体が閉じられた状態では前記第二の情報として前記所定の問題を前記第二の表示手段に表示させ、前記第二の操作手段が操作されると、前記所定の問題の解答を前記第二の表示手段に表示させる制御を行うことを特徴とする請求項３に記載の携帯型電子機器。
【請求項５】
前記制御手段は、
前記アプリケーション実行中において、
前記筐体の開閉状態が遷移した場合、前記第一の表示手段に表示される前記第一の情報と前記第二の表示手段に表示される前記第二の情報とが対応する制御を行うことを特徴とする請求項４に記載の携帯型電子機器。
【請求項６】
前記制御手段は、
前記アプリケーションによって前記第一の表示手段に表示される前記所定の問題に対応する選択肢が前記第一の操作手段によって選択されると、前記第一の表示手段のバックライトの点灯制御を異ならせることにより選択された選択肢の正誤を識別するように制御を行うことを特徴とする請求項３から請求項５のいずれか一に記載の携帯型電子機器。
【請求項７】
前記第二の操作手段は、
第一キーと第二キーという少なくとも２つのキーを備えており、
前記制御手段は前記アプリケーション実行中において、
前記第二の表示手段に問題が表示されているところで、第一キーが押下されると、問題に対する解答を前記第二の表示手段に表示させる一方で、第二キーが押下されると、前記第二の表示手段に前記解答を表示させず、次の問題を表示させることを特徴とする請求項３から請求項６のいずれか一に記載の携帯型電子機器。
【請求項８】
外部ネットワークから前記アプリケーションの取得を可能とする通信手段をさらに備えることを特徴とする請求項１から請求項７のいずれかに記載の携帯型電子機器。
【発明の詳細な説明】
【技術分野】
【０００１】
本発明は２つ以上の複数のディスプレイを備える折りたたみ式携帯電話機や携帯学習装置などの携帯型電子機器に関する。
【背景技術】
【０００２】
近年、メイン表示部とサブ表示部の２つを備えた携帯型電子機器は広く普及されており、特に携帯電話においては筐体の内側にメイン表示部、筐体の外側にサブ表示部を備えた携帯電話機が多く製造、販売されている。
【０００３】
また、そのような携帯電話機は筐体を閉じた状態でメールや電話の着信が届いたときにサブ表示部にメールや着信の通知などを表示する機能があり、その機能があるため、ユーザはわざわざ筐体を開いてメイン表示部を確認しなくてもメールや着信の有無が確認できる。
【０００４】
また、特許文献１において、携帯型情報端末装置の電池が消耗するとメイン表示部の機能を停止させ、携帯型情報端末装置のデータ格納手段に保存されている電話帳の情報をサブ表示部に表示させる携帯型情報端末装置の記載がされている。
【先行技術文献】
【特許文献】
【０００５】
【特許文献１】特開２００４−１２８５７４号報
【発明の概要】
【発明が解決しようとする課題】
【０００６】
ところで、近年、携帯電話や携帯ゲーム機などのメイン表示部を備えた携帯型電子機器が当該携帯型電子機器に内蔵されているアプリケーションの操作、電子メールや着信の確認のために電車やバスなどの中などでよく使用されている。
【０００７】
しかし、そのような携帯型電子機器のメイン表示部の操作には一定のスペースが必要となるが、電車やバスが混雑している状況ではそのようなスペースが得られることは少なく、混雑前にメイン表示部で行われていた操作が中断されてしまうことがよくある。
【０００８】
また、携帯型電子機器の電池が消耗したとき、消費電力の節約のためにメイン表示部での操作を中断して筐体を閉じる場合もある。
【０００９】
そこで、混雑前や電池が消耗する前にユーザが筐体を開いて行っていた操作を、筐体を閉じた場合でも継続して操作することを可能とするための機能を携帯型電子機器に備えることが必要である。
【００１０】
しかし、上述した特許文献１の携帯型情報端末装置では電池が消耗すると、制御部によって表示部の切替が行われる旨の記載しかなく、混雑した場所にいる時点での表示部の切替についての記載はない。
【００１１】
本発明の目的は上述の問題を解決するためにユーザが筐体を開いて行っていた操作を、筐体を閉じた場合でも継続して操作することができる携帯型電子機器を提供することにある。
【課題を解決するための手段】
【００１２】
上記目的を達成するため、本発明の携帯型電子機器は、開閉可能な筐体を備える携帯型電子機器であって、所定の操作により起動されたアプリケーションによって出力された情報が保存されるデータ格納手段と、前記筐体が折り畳まれた状態にて内側に位置する第一の表示手段と、前記筐体が折り畳まれた状態にて外側に位置し、前記第一の表示手段に比べて少ない情報量を表示する第二の表示手段と、折り畳みの開閉を検出する開閉検出手段と、前記筐体が開かれると前記第一の表示手段に前記データ格納手段から第一の情報を出力表示させ、前記筐体が閉じられると第一の情報に対応した第二の情報を前記第二の表示手段に出力表示させるように制御を行う制御手段とを備える。
【００１３】
また、好適には、前記アプリケーションは、問題モードと解答モードとの表示モードを有するとともに、複数の問題と、当該複数の問題それぞれに対応する複数の解答とを含み、前記制御部は、前記問題モードにおいて、前記第一の情報として、前記複数の問題の一つとそれに対応する選択肢を取扱い、前記第二の情報として、前記複数の問題の一つを取り扱い、前記解答モードにおいては、前記第一の情報として、前記複数の問題の解答と前記選択肢の正誤を取扱い、前記第二の情報として、前記複数の問題の一つの解答を取り扱う。
【００１４】
また、好適には、前記筐体が折り畳まれた状態にて内側に位置し、前記第一の表示手段の表示を操作するための第一の操作手段と、前記筐体が折り畳まれた状態にて外側に位置し、前記第二の表示手段の表示を操作するための第二の操作手段とを備える。
【００１５】
さらに好適には、前記制御手段は、前記アプリケーション実行中において、前記筐体が開かれた状態で前記第一の表示手段に前記第一の情報として前記所定の問題とそれに対応する選択肢を表示させ、前記第一の操作手段が操作されて、前記選択肢が選択されると、前記所定の問題の解答と選択された選択肢の正誤の少なくともいずれか一方を前記第一の表示手段に表示させ、前記筐体が閉じられた状態では前記第二の情報として前記所定の問題を前記第二の表示手段に表示させ、前記第二の操作手段が操作されると、前記所定の問題の解答を前記第二の表示手段に表示させる制御を行う。
【００１６】
また、好適には、前記制御手段は、前記アプリケーション実行中において、前記筐体の開閉が遷移した場合、前記第一の表示手段に表示される前記第一の情報と前記第二の表示手段に表示される前記第二の情報とが対応する制御を行う。
【００１７】
また、好適には、前記制御手段は、前記アプリケーションによって前記第一の表示手段に表示される前記所定の問題に対応する選択肢が前記第一の操作手段によって選択されると、前記第一の表示手段のバックライトの点灯制御を異ならせることにより選択された選択肢の正誤を表示させるように制御を行う。
【００１８】
さらに好適には、前記第二の操作手段は第一キーと第二キーという少なくとも２つのキーを備えており、前記制御手段は前記アプリケーション実行中において、前記第二の表示手段に問題が表示されているところで、第一キーが押下されると、問題に対する解答を前記第二の表示手段に表示させる一方で、第二キーが押下されると、前記第二の表示手段に前記解答を表示させず、次の問題を表示させる。
【００１９】
また、好適には、外部ネットワークから前記アプリケーションの取得を可能とする通信手段をさらに備える。
【発明の効果】
【００２０】
本発明によれば、ユーザが筐体を開いて行っていた操作を、筐体を閉じた場合でも継続して操作することができる。
【図面の簡単な説明】
【００２１】
【図１】発明に係る携帯型電子機器の表示制御方法を採用した携帯型電子機器の一実施形態を示すシステム構成図である。
【図２】本実施形態に係る携帯型電子機器の開状態における外観の一例を示す平面図である。
【図３】本実施形態に係る携帯型電子機器の閉状態における外観の一例を示す平面図である。
【図４】本実施形態に係る筐体が開状態でのアプリケーション操作のフローチャート図である。
【図５】本実施形態に係る筐体が閉状態でのアプリケーション操作のフローチャート図である。
【図６】本実施形態に係るメイン表示部とサブ表示部の表示内容と表示部の切替を示す説明図である。
【発明を実施するための形態】
【００２２】
以下、本発明の実施形態を添付図面に基づいて説明する。
【００２３】
図１は、発明に係る携帯型電子機器の表示制御方法を採用した携帯電話機の一実施形態を示すシステム構成図である。
【００２４】
また、図２は、本実施形態に係る携帯型電子機器の開状態における外観の一例を示す斜視図であり、図３は、本実施形態に係る携帯型電子機器の閉状態における外観の一例を示す斜視図である。
【００２５】
本実施形態に係る携帯型電子機器の一例としての携帯電話機１００は、図１に示すように、電池からなる電源部１０１、送受信アンテナ１０２ａを含む通信処理部１０２、メモリ１０３、キー入力部１０４、メインキー１０４１、サイドキーＡ１０４２（第一キー）、サイドキーＢ１０４３（第二キー）、撮像部１０５、開閉検知部１０６、メイン表示部１０７、スピーカ１０８ａおよびマイクロフォン１０８ｂとを含む音声処理部１０８、サブ表示部１０９、制御部１１０を有している。
【００２６】
図２および図３に示すように、携帯電話機１００は、第１の筐体１１１と第２の筐体１１２とが、ヒンジを含む可動機構部１１３により開閉自在に構成されている。
【００２７】
第１の筐体１１１は、図３に示すように、側面部に第二の操作手段としてのサイドキーＡ１０４２（第一キー）、サイドキーＢ１０４３（第二キー）が配置され、その内側１１１ａには、図２に示すように、第一の操作手段としてのメインキー１０４１と、マイクロフォン１０８ｂと、開閉検知部１０６の第１スイッチ部１０６ａが配置されている。マイクロフォン１０８ｂはメインキー１０４１の下部に配置され、第１スイッチ部１０６ａはメインキー１０４１の図中右側上部に配置されている。
【００２８】
第２の筐体１１２の内側１１２ａには、図２に示すように、第一の表示手段としてのメイン表示部１０７と、スピーカ１０８ａと、開閉検知部１０６の第１スイッチ部１０６ａと閉状態時に対向する第２スイッチ部１０６ｂが配置されている。スピーカ１０８ａはメイン表示部１０７の上部に配置され、第２スイッチ部１０６ｂはメイン表示部１０７の右側下部に配置されている。
【００２９】
第２の筐体１１２の外側１１２ｂには、図３に示すように第二の表示手段としてのサブ表示部１０９が配置され、また可動機構部１１３の近傍に、撮像部１０５の対物レンズを含む光学系１０５ａ、およびフラッシュランプ１０５ｂが配置されている。
【００３０】
このように、サブ表示部１０９およびサイドキーＡ１０４２、サイドキーＢ１０４３は、第１の筐体１１１と第２の筐体１１２が開状態、閉状態にかかわらず、露出する位置である携帯電話機１００の第２の筐体１１２の外側１１２ｂに配置されている。
【００３１】
電源部１０１は、電池や電源回路を含む。
【００３２】
ユーザによって携帯型電子機器の電源ＯＮ操作（メインキーの電源ボタンの長押し操作）が行われると、図１の制御部１１０はこれを検出し、電源部１０１に対して起動指令の信号を供給し、電源部１０１を起動させる。電源部１０１から供給される電力は図１の各構成部に供給される。
【００３３】
通信処理部１０２は、電波を利用した無線通信を行うために、制御部１１０で処理された画像データ、音声情報、電子メール等の各種情報を変調して送受信アンテナ１０２ａを通して図示しない基地局を含む通信網に送信する。
【００３４】
また、通信処理部１０２は、管理センタから通信網を介して送信されてくる画像データ、音声情報、電子メール等を送受信アンテナ１０２ａを通して受信し、受信した各種情報を復調して制御部１１０に出力する。
【００３５】
メモリ１０３は、ＥＥＰＲＯＭ等の不揮発性メモリを含み、たとえば撮像部１０５により撮影され、圧縮された画像データを格納する。
【００３６】
また、メモリ１０３は学習用アプリケーションプログラム（以下、学習アプリという）を記憶している。なお、この学習アプリは予め記憶していてもよいし、通信処理部１０２およびアンテナ１０２aを用いて、図示しない外部ネットワークに接続し、外部サーバからダウンロードしてもよい。
【００３７】
学習アプリは、多数の問題を有しており、このうちのいずれか一問ずつを表示し、この表示された問題に対してユーザが解答することで、次の問題を表示するという処理を行うプログラムである。
【００３８】
また、学習アプリは、筐体開状態ではメイン表示部１０７に問題や解答等を出力し、筐体閉状態では、サブ表示部１０９に問題や解答を出力する処理機能も有する。開状態と閉状態とで表示先が異なる、すなわち、開状態と閉状態とで表示できる情報量が異なるため、問題ごとにメイン表示部１０７用とサブ表示部１０９用とのそれぞれ２つの表示情報を有する。
【００３９】
さらに、学習アプリは、多数の問題を有しており、この中から一つずつを選択して表示を行う。なお、学習アプリの内部処理として、内部テーブルにおいてポインタを付すなどして、選択中の問題について管理する機能を有する。具体的には、表示中の問題の次の問題に表示を遷移する際には、次の問題に対してポインタを付し直すよう更新を行う。その上で、選択した問題のうち、問題表示を行うステップにあるのか、解答表示を行うステップにあるのかをフラグなどにより管理する機能を有する。
【００４０】
これらの機能を学習アプリが有することにより、学習アプリは、問題の順番や、問題表示／解答表示の各ステップを維持したまま、筐体の開閉状態に応じて、メイン表示部１０７とサブ表示部１０９のいずれかに対して出力することが出来る。
【００４１】
つまり、学習アプリは、筐体が開閉されても、表示先こそ変わるものの、開閉状態変化前と変化後とで、同じ問題についての表示を維持する。しかも、同じ問題のうちの問題表示／解答表示のいずれかのステップをも維持する。
【００４２】
キー入力部１０４は、第一の筐体１１１の正面側１１１aにあるメインキー１０４１とサイドキーＡ１０４２、サイドキーＢ１０４３を有するが、なお、他のキーを含んでいてもよい。
【００４３】
メインキー１０４１は終了（終話）／電源キー、開始（発呼）キー、数字等に対応した複数のテンキー等を有し、これらのキーが操作されることにより、ユーザからの入力情報を制御部１１０に供給する。
【００４４】
サイドキーＡ１０４２とサイドキーＢ１０４３は制御部１１０からサブ表示部１０９に送られる情報に応じて機能が変化し、前記二種類のキー操作により、ユーザからの入力情報を制御部１１０に供給する。
【００４５】
撮像部１０５は、被写体像を取り込むための対物レンズを含む光学系１０５ａと、光学系１０５ａにより結像された被写体の像を電気信号に変換する撮像素子を含む撮像処理回路とを有する。
【００４６】
撮像部１０５は、制御部１１０により第１の制御信号ＣＴＬ１を受けて撮影動作を行う。
【００４７】
撮像部１０５の光学系１０５ａは、たとえば図３に示すように、ユーザから見て相手側が撮影できるように、携帯電話機１００の第２の筐体１１２の背面側に配置され、撮像処理回路の撮像素子の受光面上に被写体の光学像を結像する。
【００４８】
撮像部１０５による撮像は、たとえばキー入力部１０４に配置され、撮像キーとして割り当てられた所定のキー操作により開始される。このとき、撮像部１０５は、たとえば制御部１１０の制御に従って、撮像時にフラッシュランプ１０５ｂを点灯させる。
【００４９】
開閉検知部１０６は、第１の筐体１１１と第２の筐体１１２が開状態にあるか閉状態にあるかを検知し、検知結果を検知信号として制御部１１０に出力する。
【００５０】
メイン表示部１０７は、ＬＣＤ（Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｔ）等の表示デバイスを有し、
通話機能のために入力した電話番号や各種メッセージ、テキストデータ等を表示する。また、撮影モードにおいて、撮像部１０５により得られた被写体の画像がメイン表示部１０７に表示される。
【００５１】
メイン表示部１０７は、開閉検知部１０６の検知信号Ｓ１０６が、第１の筐体１１１と第２の筐体１１２が開状態にある旨を示しているときに、制御部１１０により点灯するように制御される。
【００５２】
音声処理部１０８は、音声処理回路を有し、通話機能のために音声出力を行うスピーカ１０８ａと、音声入力を行うマイクロフォン１０８ｂとが接続されている。
【００５３】
音声処理部１０８は、無線通信モードにおいて、マイクロフォン１０８ｂにより集音した音声に対して所定の処理を行って制御部１１０に出力する。
【００５４】
音声処理部１０８は、制御部１１０により供給された音声情報に対して所定の処理を行ってスピーカ１０８ａから放音させる。
【００５５】
サブ表示部１０９は、たとえば有機ＥＬ表示デバイスにより構成され、第２の筐体１１２の外側１１２ｂに設けられている。
【００５６】
また、サブ表示部１０９は、開閉検知部１０６の検知信号が、第１の筐体１１１と第２の筐体１１２が閉状態にある旨を示しているときに、制御部１１０により表示するように制御される。
【００５７】
なお、有機ＥＬディスプレイとは、電気光学素子としての有機ＥＬ素子がマトリクス状に配列され、この有機ＥＬ素子が自発光して可視状態となるため、バックライトを必要とせず、低消費電力デバイスとして用いられているが、表示されている面積分の発光がなされることもあり、表示させる面積が少ない方が消費電力は低下するという特徴を持つ。
【００５８】
サブ表示部１０９に液晶表示を用いる場合はバックライトの点灯を制御する。
【００５９】
制御部１１０は、マイクロコンピュータを主体として構成され、携帯電話機１００の全体の制御を行う。
【００６０】
たとえば、制御部１１０は、通信処理部１０２における各種情報の無線による送受信の制御、第２の制御信号ＣＴＬ２による撮像部１０５の撮影制御、第１の制御信号ＣＴＬ１による音声処理部１０８に対する音声情報の処理、メイン表示部１０７への情報の表示および点灯制御、サブ表示部１０９への点灯表示制御、キー入力部１０４の入力情報に応じた処理、メモリ１０３に対するアクセス制御等を行う。
【００６１】
制御部１１０は、たとえば開閉検知部１０６の検知信号Ｓ１０６が、第１の筐体１１１と第２の筐体１１２が開状態にある旨を示しているときに無線通信モードとなって、メイン表示部１０７の点灯および表示制御を行う。このとき、制御部１１０は、サブ表示部１０９を消灯状態に制御する。
【００６２】
無線通信モードは、通信処理部１０２を通して無線通信が可能なモードであり、制御部１１０は、メイン表示部１０７に電源起動直後の標準画面（いわゆる待ち受け画面）を表示させる。無線通信モードにおいては、メインキー１０４１の操作により発呼動作等を行うことが可能である。
【００６３】
制御部１１０は、開状態においてはメインキー１０４１の所定の起動操作が行われると所定のアプリケーションを起動させ、メモリ１０３から読み出した情報をメイン表示部１０７に所定の情報として出力する。
【００６４】
また、制御部１１０は開状態においてはサイドキーＡ１０４２、サイドキーＢ１０４３の所定の操作が行われると所定のアプリケーションを起動させ、メモリ１０３からサブ表示部１０９に所定の情報を出力する。
【００６５】
図４のフローチャートには本実施形態に係る筐体が開状態での学習アプリ操作を示す。
前記学習アプリはメイン表示部ではユーザが表示された所定の問題に対して選択肢から解答を選択して、前記選択された選択肢に対応する解答及び正誤が表示される機能を備えており、英単語や歴史年号などを効率的に学習するためのアプリケーションである。
【００６６】
また、前記学習アプリはサブ表示部１０９ではユーザが表示された所定の問題に対して解答を表示させるような暗記学習のためのアプリケーションである。
【００６７】
制御部１１０は学習アプリが起動されると、保有する複数の問題情報のうちの最初の問題に対してポインタをあて、さらに問題表示モードとしてフラグをつける。次に、制御部１１０は、筐体の開閉状態を判定する。筐体が開状態であることを判定すると（ステップ４０１“ＹＥＳ”判定時）、メイン問題モードとして、図６（Ａ）に示されるように学習アプリの問題と選択肢をメイン表示部１０７に表示させる（ステップ４０２）。
【００６８】
ここで、制御部１１０は筐体の閉状態への遷移を検知すると（ステップ４０１“ＮＯ”）、ポインタのあてられた問題を選択したまま、なおかつフラグの付けられた表示モード（ここでは問題表示モード）のまま、サブ問題モードに切り替え、図６（a）に示されるようにサブ表示部１０９に問題を表示させる（ステップ５０１）。一方、制御部１１０は筐体が開状態においてメインキー１０４１によって前記選択肢の内の１つが選択される（ステップ４０４）か、もしくはメインキー１０４１による前記選択肢の選択操作が無く一定時間が経過すると（ステップ４０５）、フラグを問題表示モードから解答表示モードに付し直し、メイン解答モードに切り替え、図６（Ｂ）のように前記問題に対応する解答及び正誤をメイン表示部１０７に表示させる（ステップ４０６）。
【００６９】
また、制御部１１０はステップ４０６の後に筐体の閉状態への遷移を検知すると（ステップ４０７“ＮＯ”判定時）、ポインタのあてられた問題に対する解答情報を記憶部から検索し、なおかつフラグを問題表示モードから解答表示モードに付し直して、サブ解答モードに切り替え、図６（ｂ）に示されるようにサブ表示部１０９に前記問題に対応する解答を表示させる（ステップ５０６）。
【００７０】
ここで、筐体の閉状態への遷移が検知されず、開状態のままであると判定すると（ステップ４０７“ＹＥＳ”）、次の問題へ移動する所定のメインキー１０４１が押下（ステップ４０８）、もしくは一定時間の経過（ステップ４０９）を判定する。ここで、所定のメインキー１０４１の押下（ステップ４０８“ＹＥＳ”）、もしくは一定時間の経過（ステップ４０９“ＹＥＳ”）が判定されると、終了判定に移る（ステップ４１０）。
【００７１】
ところで、学習アプリは、予め、例えば１０００問の問題を有している。その上で、１回あたりの学習において出題数はあらかじめユーザによって登録される。ユーザは学習アプリの設定画面において出題される問題数を設定することができ、例えば１回の学習で出題される問題数を１００問と設定した場合、出題された問題数が１００問に達したとき（ステップ４１０“ＹＥＳ”）、学習アプリは終了する。
【００７２】
あるいは、１回あたりの学習にて出題される問題数の設定が無くとも、学習アプリの有する問題の全てを出題し終えた場合、ステップ４１０の判断により学習アプリが終了しても良い。出題された問題数が登録数に達していない（ステップ４１０“ＮＯ”）、つまりこの例では９９問以下の場合、制御部１１０は問題のポインタを現在の問題から次の問題に付し直すとともに表示モードを問題表示モードにフラグを付し直して（ステップ４１１）、メイン問題モードへの切替を行い、図６（Ｃ）に示されるように次の問題と選択肢をメイン表示部１０７に表示させる（ステップ４１１）。
【００７３】
次に、図５のフローチャートに、筐体が閉状態でのアプリケーション操作を示す。制御部１１０は学習アプリが起動された状態で筐体の閉状態を検知する（ステップ４０１“ＮＯ”）と、ステップ５０１としてサブ問題モードに切り替え、現在ポインタが付されている問題について、フラグの示す表示モード（ここでは問題表示モード）に従って、図６（a）のように学習アプリの問題をサブ表示部１０９に表示させる。
【００７４】
なお、ここで、制御部１１０は筐体の閉状態の検知が無くなる、つまり再び開状態への遷移が生じたと判定すると（ステップ５０２“ＹＥＳ”）、同じくポインタとフラグに従って、メイン解答モードに切り替え、図６（Ａ）に示されるようにメイン表示部１０７に問題を表示させる（ステップ４０２）。
【００７５】
次に、筐体が閉状態のままであれば（ステップ５０２“ＮＯ”）、制御部１１０は筐体が閉状態においてサイドキーＡ１０４２が押下されるか（ステップ５０３“ＹＥＳ”）、もしくはサイドキーＢ１０４３が押下されず（ステップ５０４“ＮＯ”）に一定時間が経過すると（ステップ５０５“ＹＥＳ”）、フラグを解答表示モードに付し直してサブ解答モードに切り替え、図６（ｂ）に示されるようにポインタの付されている問題に対応する解答をサブ表示部１０９に表示させる（ステップ５０６）。
【００７６】
なお、ステップ５０４においてサイドキーＢ１０４３が押下されると（ステップ５０４“ＹＥＳ”）、制御部１１０は、サブ表示部１０９にサブ解答モードに切り替えることなく、終了判定（ステップ５１０）に移る。そして、設定した問題数に達していない、あるいは全問題が終了していない（ステップ５１０“ＮＯ”）ならば、制御部１１０は、問題のポインタを現在の問題から次の問題に付し直すとともに表示モードを問題表示モードにフラグを付し直して（ステップ５１１）、サブ問題モードへの切替を行って次の問題をサブ表示部１０９に表示させる（ステップ５１２）。すなわち、問題が表示される状態でサイドキーＢ１０４３を押下すると、表示中の問題の解答を表示することなく、次の問題へスキップすることが出来る。
【００７７】
また、ステップ５０６にて解答をサブ表示部１０９に表示させた状態で、再度筐体の開閉状態を判定し、制御部１１０は筐体の閉状態の検知が無くなり、開状態への遷移であると判断すると（ステップ５０７ＹＥＳ）、現在ポインタが付されている問題について、フラグの示す表示モード（ここでは解答表示モード）に従って、メイン解答モードに切り替わり、図６（Ｂ）に示されるようにメイン表示部１０７にポインタのあてられた問題に対応する解答と正誤を表示させる（ステップ４０６）。
【００７８】
一方、ステップ５０７において、制御部１１０は筐体の閉状態の継続と判定すると（ステップ５０７“ＮＯ”）、サイドキーＡ１０４２もしくはサイドキーＢ１０４３が押下されるか（ステップ５０８）、もしくは一定時間が経過すると（ステップ５０９）、終了判定に移る（ステップ５１０）。
【００７９】
ステップ５１０ではステップ４１０と同様に出題された問題数がユーザによって設定された問題数に達した（あるいは全問題が終了した）場合（ステップ５１０“ＹＥＳ”）、学習アプリは終了し、前記出題された問題数が前記設定された問題数に達していない場合（ステップ５１０“ＮＯ”）、問題のポインタを現在の問題から次の問題に付し直す（ステップ５１１）とともにフラグを問題表示モードに付し直した後に、サブ問題モードに切り替え（ステップ５１２）、次の問題をサブ表示部１０９に表示する（ステップ５１１）。
【００８０】
以上説明したように、本発明の実施の形態によれば、第一の筐体１１１と第二の筐体１１２が開状態から閉状態へ遷移すると、情報の出力が第一の情報から第二の情報へ切り替わる制御手段と、サブ表示部の操作手段であるサイドキーＡ１０４２、サイドキーＢ１０４３を備えるという構成を有しているため、ユーザが筐体を開いてメイン表示部１０７を操作することが困難な状態において、筐体を閉じてもサブ表示部１０９においても引き続き操作することができるという効果を有する。
【００８１】
また、特に学習アプリにおいてメイン表示部１０７においては問題と選択肢、またそれに対応する解答と正誤が表示されるのに対してサブ表示部１０９においては問題と解答だけが表示されるという異なった内容が表示されると共に、筐体の開閉によってその表示が切り替わるという構成を有しているため、ユーザが筐体の開閉によりお好みの内容で学習が可能となる効果を有する。
【００８２】
また、筐体が開状態において問題の選択肢に対応する正誤判定がバックライトの点灯制御によって行われることで、ユーザが選択肢の正誤を判別することが容易となる効果を有する。
【００８３】
また、筐体が閉状態においてサイドキーＡ１０４２の押下によって問題に対応する解答がサブ表示部１０９に表示され、サイドキーＢ１０４３の押下によって問題に対応する解答が表示されずに次の問題がサブ表示部１０９に表示されるという構成を有しているため、ユーザが重要な問題だけを選択的に学習できる効果を有する。
【００８４】
さらに、学習アプリは外部からダウンロードすることが可能なため、通信機能を備えた携帯型電子機器なら前記学習アプリがメモリ１０３に内蔵されていなくても取得が可能であるという効果を有する。
【００８５】
なお、上述した実施の形態においては学習アプリの一例として、英単語の綴りを問題として表示し、解答として意味を表示するアプリを例に示したが、これに限定されるものでは無い。例えば年号を問題として表示し、対応する出来事を解答として表示するような年号暗記のためのアプリなどのように、問題と解答が互いに対応しており、これらの組を複数有するようなアプリであれば本発明を適用可能である。
【００８６】
また、上述した実施の形態においては携帯型電子機器の一例として、携帯電話機をあげたが、ユーザが携帯する類の電子機器であれば、本発明が適用可能であることは言うまでも無い。たとえば、PHSや電子手帳の他、携帯ゲーム機、ポータブルナビゲーションなどであってもよい。また、操作部としては押圧可能なキーを用いて説明を行ったが、タッチセンサなど接触検知方式の操作部であっても良い。
【符号の説明】
【００８７】
１００  携帯電話機
１０１  電源部
１０２  通信処理部
１０３  メモリ
１０４  キー入力部
１０４１  メインキー
１０４２  サイドキーＡ
１０４３  サイドキーＢ
１０５  撮像部
１０６  開閉検知部
１０７  メイン表示部
１０８  音声処理部
１０９  サブ表示部
１１０  制御部
１１１  第一の筐体
１１２  第二の筐体
１１３  可動機構部
【図１】
2011010058.tif 000003
【図２】
2011010058.tif 000004
【図３】
2011010058.tif 000005
【図４】
2011010058.tif 000006
【図５】
2011010058.tif 000007
【図６】
2011010058.tif 000008